(57)【要約】【課題】ピンによってトレイを排出するメモリーカードコネクターを提供する。【解決手段】メモリーカードコネクター１０は、筐体１１、端子グループ２１、トレイ３１、弾性ユニット４１、および規制ユニット５１を備える。筐体１１は、格納空間１３と格納空間１３に連通する差し込み口１４とを有する。端子グループ２１は、複数の端子から構成され、格納空間１３内まで伸びるように筐体１１に装着される。トレイ３１は、差し込み口１４から差し込まれ、凹部３４、ピン孔３６、およびピン孔３６と凹部３４との間に形成されたピン誘導部３７を有する。ピンは、外部から差し込まれ、凹部３４に入り込み、作用部に作用し、規制ユニット５１を当接壁部３５から分離させて凹部３４から後退させる。従って、ピンを差し込むことによってトレイ３１を排出することができる。【選択図】図３
0003171058.tif 000002
【実用新案登録請求の範囲】
【請求項１】
格納空間および前記格納空間に連通する差し込み口を有する筐体と、
複数の端子から構成され、前記格納空間内まで伸びるように前記筐体に装着される少なくとも一つの端子グループと、
前記筐体の前記差し込み口から差し込まれ、少なくとも一つのメモリーカードを搭載可能な少なくとも一つのカード装着部、所定位置に形成された凹部、前記凹部の一側に位置する当接壁部、一端に位置するピン孔、および前記ピン孔と前記凹部との間に形成され前記ピン孔から差し込んだピンを誘導して前記ピンの一端を前記凹部に送り込むピン誘導部を有し、前記筐体に差し込まれるとき、前記カード装着部は、前記格納空間に位置し、前記メモリーカードおよび前記端子グループを相互に接続するトレイと、
前記筐体と前記トレイとの間に装着され、弾力によって前記トレイを外部に押し出す弾性ユニットと、
所定の長さで前記格納空間内まで伸びるように前記筐体に装着され、前記トレイが前記筐体に差し込まれるとき、前記凹部に入り込み、前記当接壁部に当接することで前記トレイが前記弾性ユニットから押し出されることを規制し、ボディー部に前記筐体の前記差し込み口側から前記筐体の前記差し込み口側の反対側へかつ外部から内部へ伸びるように形成された作用部を有する規制ユニットと、
を備え、
前記ピンは、外部から差し込まれ、前記凹部に入り込み、前記作用部に作用し、前記規制ユニットを前記当接壁部と分離させて前記凹部から後退させることを特徴とするメモリーカードコネクター。
【請求項２】
前記当接壁部は、前記凹部の前記ピン孔から離れる側に位置することを特徴とする請求項１に記載のメモリーカードコネクター。
【請求項３】
前記筐体は、基座および蓋から構成され、
前記端子グループは、前記基座および前記蓋のいずれかに装着されることを特徴とする請求項１に記載のメモリーカードコネクター。
【請求項４】
前記規制ユニットは、前記蓋の一側から前記格納空間に伸びるように形成されることを特徴とする請求項３に記載のメモリーカードコネクター。
【請求項５】
前記規制ユニットは、嵌合成形方式で金属の弾性片を基座に取り付け、前記基座から前記格納空間まで伸ばすことによって形成されることを特徴とする請求項３に記載のメモリーカードコネクター。
【請求項６】
前記弾性ユニットは、一端に前記筐体に固定される固定部を有する圧縮スプリングであることを特徴とする請求項１に記載のメモリーカードコネクター。
【請求項７】
前記筐体は、固定ピンと、前記弾性ユニットの前記固定部を固定する対応部とを有し、
前記弾性ユニットは、前記固定部を前記固定ピンに掛けることによって前記筐体に当接することを特徴とする請求項６に記載のメモリーカードコネクター。
【請求項８】
前記ピン誘導部は、前記トレイに位置する溝から形成されることを特徴とする請求項１に記載のメモリーカードコネクター。
【請求項９】
前記規制ユニットは、開放端から外側へ所定の長さで伸びるように形成された拡張部と、前記拡張部および前記作用部を連結する折り曲がり部とを有することを特徴とする請求項１に記載のメモリーカードコネクター。
【考案の詳細な説明】
【技術分野】
【０００１】
本考案は、メモリーカードコネクターに関し、詳しくはピンによってトレイを排出するメモリーカードコネクターに関するものである。
【背景技術】
【０００２】
台湾実用新案公告第Ｍ３７６００７号明細書（特許文献１）は、トレイを有するメモリーカードコネクターを開示した。トレイはメモリーカード（該案はＳＩＭカードを例として挙げた）の搭載に用いられる。トレイがメモリーカードコネクター内に差し込まれるとき、ロックユニット（特許文献１では符号２１）によってトレイをロックおよび固定するため、差し込んだトレイの状態を安定させることができる。
【０００３】
該案は、トレイを排出するにはトレイに外部へ移動する力を加える必要がある。この力がトレイをロックおよび固定するロックユニットの力を十分に克服できなければ、トレイを排出し、メモリーカードを取り出すことができない。従って、該案の方式は使用に不便である。
【０００４】
米国特許第ＵＳ２００８０１６５５０８号明細書（特許文献２）は、トレイを有するメモリーカードコネクターを開示した。トレイ（特許文献２では符号２０）は両側のロックユニット（特許文献２では符号４９Ａ、４９Ｂ）によってロックおよび固定され、差し込まれた状態に安定する。
【先行技術文献】
【特許文献】
【０００５】
【特許文献１】台湾実用新案公告第Ｍ３７６００７号明細書
【特許文献２】米国特許第ＵＳ２００８０１６５５０８号明細書
【考案の概要】
【考案が解決しようとする課題】
【０００６】
しかしながら、特許文献２に開示されたメモリーカードコネクターは、トレイを排出するときに不便である。
上記問題を解決するため、本考案は、ピンによってトレイを排出するメモリーカードコネクターを提供することを目的とする。
【課題を解決するための手段】
【０００７】
上述の目的を達成するために、本考案によるメモリーカードコネクターは、筐体、少なくとも一つの端子グループ、トレイ、弾性ユニット、および規制ユニットを備える。筐体は、内部にある格納空間と、格納空間に連通する差し込み口とを有する。端子グループは、複数の端子から構成され、かつ格納空間内まで伸びるように筐体に装着される。
【０００８】
トレイは、筐体の差し込み口から差し込まれ、かつ少なくとも一つのメモリーカードを搭載可能な少なくとも一つのカード装着部を有する。トレイが筐体に差し込まれるとき、カード装着部は、格納空間に位置し、メモリーカードと端子グループとを相互に接続する。またトレイは、所定位置に形成された凹部と、凹部の一側に位置する当接壁部と、一端に位置するピン孔と、ピン孔と凹部との間に形成されたピン誘導部とを有する。ピン誘導部は、ピン孔から差し込んだピンを誘導し、ピンの一端を凹部に送り込む。
【０００９】
弾性ユニットは、筐体とトレイとの間に装着され、弾力によってトレイを外部に押し出す。規制ユニットは、所定の長さで格納空間内まで伸びるように筐体に装着される。トレイが筐体に差し込まれるとき、規制ユニットは、凹部に入り込み、当接壁部に当接することでトレイが弾性ユニットから押し出されることを規制する。また規制ユニットは、ボディー部に筐体の差し込み口側から筐体の差し込み口側の反対側へかつ外部から内部へ伸びるように形成された作用部を有する。ピンは、外部から差し込まれ、凹部に入り込むときに作用部に作用し、規制ユニットを当接壁部と分離させて凹部から後退させる。従って、ピンを差し込むことによってトレイを排出することは、操作の便をはかることができる。
【図面の簡単な説明】
【００１０】
【図１】本考案の第１実施形態によるメモリーカードコネクターを示す斜視図その一である。
【図２】本考案の第１実施形態によるメモリーカードコネクターを示す斜視図その二である。
【図３】本考案の第１実施形態によるメモリーカードコネクターを示す分解斜視図である。
【図４】本考案の第１実施形態によるメモリーカードコネクターにおいての蓋が裏返された状態を示す斜視図である。
【図５】本考案の第１実施形態によるメモリーカードコネクターにおいてのトレイの底部を示す斜視図である。
【図６】本考案の第１実施形態によるメモリーカードコネクターにおいてトレイを差し込む動作を示す模式図その一である（蓋を表示しない）。
【図７】本考案の第１実施形態によるメモリーカードコネクターにおいてトレイを差し込む動作を示す模式図その二である。
【図８】本考案の第１実施形態によるメモリーカードコネクターにおいてトレイを差し込む動作を示す模式図その三である。
【図９】本考案の第１実施形態によるメモリーカードコネクターにおいてトレイを差し込む動作を示す模式図その四である。
【図１０】本考案の第１実施形態によるメモリーカードコネクターにおいてメモリーカードをカード装着部に搭載する使用状態を示す模式図である。
【図１１】本考案の第１実施形態によるメモリーカードコネクターにおいてトレイを排出する動作を示す模式図その一である。
【図１２】本考案の第１実施形態によるメモリーカードコネクターにおいてトレイを排出する動作を示す模式図その二である。
【図１３】本考案の第１実施形態によるメモリーカードコネクターにおいてトレイを排出する動作を示す模式図その三である。
【図１４】本考案の第１実施形態によるメモリーカードコネクターにおいてトレイを排出する動作を示す模式図その四である。
【図１５】本考案の第２実施形態によるメモリーカードコネクターにおいてトレイを一番奥まで差し込んだ状態を示す平面図である（蓋を表示しない）。
【図１６】本考案の第２実施形態によるメモリーカードコネクターにおいて底座および規制ユニットが結合した状態を示す斜視図である。
【図１７】図１５中の１７−１７線に沿った断面図である。
【図１８】本考案の第２実施形態によるメモリーカードコネクターの動作を示す模式図である。
【考案を実施するための形態】
【００１１】
以下、本考案によるメモリーカードコネクターを図面に基づいて説明する。
【００１２】
（第１実施形態）
図１から図５に示すように、本考案の第１実施形態によるメモリーカードコネクター１０は、筐体１１、少なくとも一つの端子グループ２１、トレイ３１、弾性ユニット４１、および規制ユニット５１を備える。
【００１３】
筐体１１は、内部に格納空間１３を有し、格納空間１３に連通する差し込み口１４を有する。本実施形態において、筐体１１は、基座１２および蓋１８から構成され、かつ固定ピン１２１および対応部１２２を有する。本実施形態は例として固定ピン１２１および対応部１２２を基座１２に配置する。
【００１４】
本実施形態において、端子グループ２１は、二つである。二つの端子グループ２１は、複数の端子から構成され、それぞれ基座１２および蓋１８に配置され、かつ格納空間１３内まで伸びる。本実施形態において、二つの端子グループ２１は、二種のメモリーカード９９に対応する。一種のメモリーカード９９のみを使用する場合、一つの端子グループ２１で対応すればよい。つまり本考案は端子グループ２１の数に限定されない。
【００１５】
トレイ３１は、筐体１１の差し込み口１４から差し込まれ、かつ二つのメモリーカード９９を搭載可能な二つのカード装着部３２を有する。トレイ３１が筐体１１に差し込まれるとき、二つのカード装着部３２は、格納空間１３に位置し、二つのメモリーカード９９と二つの端子グループ２１とを相互に接続する。またトレイ３１は、所定位置に形成された凹部３４と、凹部３４の一側に位置する当接壁部３５とを有する。本実施形態において、当接壁部３５は、凹部３４のピン孔３６から離れる側に位置する。
【００１６】
またトレイ３１は、一端に位置するピン孔３６と、ピン孔３６と凹部３４との間に形成されたピン誘導部３７とを有する。ピン誘導部３７は、ピン孔３６から差し込んだピン９１を誘導し、ピン９１の一端を凹部３４に送り込む。本実施形態において、二つのカード装着部３２は、二種のメモリーカード９９に対応する。一種のメモリーカード９９のみを使用する場合、一つのカード装着部３２で対応すればよい。つまり本考案はカード装着部３２の数に限定されない。またピン誘導部３７は、トレイ３１上の細長い溝から形成される。
【００１７】
弾性ユニット４１は、筐体１１とトレイ３１との間に装着され、弾力によってトレイ３１を外部に押し出す。本実施形態において、弾性ユニット４１は、圧縮スプリングであり、一端に固定部４２を有し、かつ固定部４２の一端を固定ピン１２１に掛けることによって基座１２に当接する。固定部４２は、基座１２の対応部１２２に固定される。
【００１８】
規制ユニット５１は、所定の長さで格納空間１３内まで伸びるように筐体１１に装着される。本実施形態において、規制ユニット５１は、蓋１８の一側から格納空間１３に伸びるように形成される。トレイ３１が筐体１１に差し込まれるとき、規制ユニット５１は、凹部３４に入り込み、当接壁部３５に当接することでトレイ３１が弾性ユニット４１から押し出されることを規制する。また規制ユニット５１は、ボディー部に筐体１１の差し込み口１４側から差し込み口１４の反対側へかつ外部から内部へ伸びるように形成された作用部５２を有する。本実施形態において、規制ユニット５１は、開放端から外側の所定の長さまで伸びるように形成された拡張部５４と、拡張部５４および作用部５２を連結する折り曲がり部５３とを有し、拡張部５４によって当接壁部３５に当接する。
【００１９】
外部から差し込まれたピン９１は、ピン孔３６から入り込み、ピン誘導部３７を通って凹部３４に進み、作用部５２に作用する。これにより、規制ユニット５１を当接壁部３５と分離させ、凹部３４から後退させる。
【００２０】
続いて、第１実施形態の操作状態について説明を進める。
図６から図９に示すように、トレイ３１を筐体１１に差し込むとき、指でトレイ３１を筐体１１に押せばよい。図６および図７に示すように、トレイ３１の差し込み口１４の反対側の縁部は、規制ユニット５１の作用部５２に作用する。これにより、規制ユニット５１は外側に押し出される。図８に示すように、このとき規制ユニット５１の折り曲がり部５３および拡張部５４は、トレイ３１の側面に当接する。
【００２１】
図９に示すように、トレイ３１が一番奥まで差し込まれるとき、規制ユニット５１は凹部に入り込む。弾性ユニット４１は、（図６から図８に示すように）圧縮され、トレイ３１を外部に押し出す弾力を生成する。ユーザーが指を離せば、弾性ユニット４１の弾力によってトレイ３１を外部に押し出すことができる。このときトレイ３１の当接壁部３５と規制ユニット５１の拡張部５４とは相互に当接するため、トレイ３１は筐体１１内に固定される。つまりトレイ３１を差し込む動作が完了する。
【００２２】
図１０および図３に示すように、トレイ３１のカード装着部３２は、メモリーカード９９の搭載に用いられる。トレイ３１にメモリーカード９９を搭載した後、トレイ３１を差し込み、メモリーカード９９を筐体１１内に送り込む。これにより、メモリーカード９９は、対応する端子クループ２１に接続する。続いてメモリーカード９９に読み取りおよび書き込みを行うことができる。
【００２３】
図３および図１１から図１４に示すように、トレイ３１を排出するとき、ピン孔３６にピン９１を差し込む。図１１に示すように、ピン９１は、ピン誘導部３７によって誘導され、凹部３４に入り込み、規制ユニット５１の作用部５２に作用する。図１２から図１４に示すように、続いてピン９１を持続的に前進させ、規制ユニット５１を凹部３４から押し出す。
【００２４】
このとき規制ユニット５１の拡張部５４は、当接壁部３５と分離し、凹部３４から後退する。トレイ３１は、弾性ユニット４１の弾力作用によって押し出され、外部に移動する。そのため、手でトレイ３１の差し込み口１４側の端部を持ってトレイ３１を取り出すことができる。トレイ３１にメモリーカード９９が搭載してある場合、トレイ３１からメモリーカード９９を取り出すことができる。またトレイ３１を外部に移動させるとき、規制ユニット５１は、弾性復元力によって折り曲がり部５３をトレイ３１の側面に当接させ、トレイ３１が完全に排出された後、再び格納空間１３内に入り込む。
【００２５】
第１実施形態において、規制ユニット５１がトレイ３１の側面に当接するとき、トレイ３１をスムーズに差し込むか排出するために、規制ユニット５１に折り曲がり部５３および拡張部５４を配置する。本考案はこれに限らず、規制ユニット５１に折り曲がり部５３および拡張部５４を配置しなくても、規制ユニット５１の末端が凹部３４に入り込み、当接壁部３５に当接する効果を果たすことができる。つまり、本考案において、折り曲がり部５３および拡張部５４は、必ずしも必要なユニットではない。
【００２６】
（第２実施形態）
図１５から図１９に示すように、本考案の第２実施形態によるメモリーカードコネクター６０は、第１実施形態とほぼ同じである。第１実施形態との違いは次の通りである。
【００２７】
規制ユニット５１’は、蓋の一側から伸びるように形成されたものでなく、嵌合成形方式で金属の弾性片を基座１２’に取り付け、基座１２’から格納空間１３’まで伸ばすことによって形成される。
【００２８】
メモリーカードコネクター６０を操作するとき、第１実施形態との違いは、図１８に示すように、規制ユニット５１’がピン９１によって圧迫されるとき、下方に移動し、凹部３４’から分離することである。
【００２９】
第２実施形態において、規制ユニット５１’は金属の弾性片に限らず、基座１２’に一体成形されたプラスチックの弾性片を採用することができるため、金属材質からなる弾性片と同じ効果を有する。プラスチックの一体成形は従来の技術であるため、図面には表示されない。
【００３０】
第２実施形態において、規制ユニット５１’は、蓋から伸びるように形成されてもよい。ピン９１によって圧迫されるとき、規制ユニット５１’は、上方に移動し、凹部３４’から分離することができる。このような構成は、図面に表示されない。またこのような構成は本考案の登録請求範囲に属するべきである。
【００３１】
第２実施形態のほかの構成および効果は第１実施形態と同じであるため、詳細な説明を省略する。
【００３２】
上述した通り、本考案の効果は、ピン９１を差し込むことによってトレイ３１を排出することができることである。そのため、本考案によるメモリーカードコネクターは、構成が簡単であるだけでなく、操作が簡単かつ便利である。
【符号の説明】
【００３３】
１０  ・・・メモリーカードコネクター、
１１  ・・・筐体、
１２  ・・・基座、
１２１・・・固定ピン、
１２２・・・対応部、
１３  ・・・格納空間、
１４  ・・・差し込み口、
１８  ・・・蓋、
２１  ・・・端子グループ、
３１  ・・・トレイ、
３２  ・・・カード装着部、
３４  ・・・凹部、
３５  ・・・当接壁部、
３６  ・・・ピン孔、
３７  ・・・ピン誘導部、
４１  ・・・弾性ユニット、
４２  ・・・固定部、
５１  ・・・規制ユニット、
５２  ・・・作用部、
５３  ・・・折り曲がり部、
５４  ・・・拡張部、
６０  ・・・メモリーカードコネクター、
１２’  ・・基座、
１３’  ・・格納空間、
３４’  ・・凹部、
５１’  ・・規制ユニット、
９１  ・・・ピン、
９９  ・・・メモリーカード。
【図１】
0003171058.tif 000003
【図２】
0003171058.tif 000004
【図３】
0003171058.tif 000005
【図４】
0003171058.tif 000006
【図５】
0003171058.tif 000007
【図６】
0003171058.tif 000008
【図７】
0003171058.tif 000009
【図８】
0003171058.tif 000010
【図９】
0003171058.tif 000011
【図１０】
0003171058.tif 000012
【図１１】
0003171058.tif 000013
【図１２】
0003171058.tif 000014
【図１３】
0003171058.tif 000015
【図１４】
0003171058.tif 000016
【図１５】
0003171058.tif 000017
【図１６】
0003171058.tif 000018
【図１７】
0003171058.tif 000019
【図１８】
0003171058.tif 000020